(57)【特許請求の範囲】
【請求項１】
壁面に固定して取り付け設置されるレンジフードの保持装置であって、
装置本体は、前記壁面に沿って固定して取り付けられる壁取付部材と、
前記壁取付部材の途中部位に一端側が前記壁面方向に相対的に変位可能に取り付けられ、他端側が前記レンジフードに固定して取り付けられる連結部材と、を備え、
前記連結部材が、前記壁面方向に引寄せられることで、垂れ下がるフード部の開放縁部が、前記壁取付部材の固着辺部に取り付けられているフード部の壁面側における縁辺側を支点に持ち上げられて前記レンジフードの設置姿勢が調整されることを特徴とするレンジフード用保持装置。
【請求項２】
前記壁取付部材と前記連結部材との両部材に、前記レンジフードの設置姿勢を調整する調整兼連結手段を備えていることを特徴とする請求項１に記載のレンジフード用保持装置。
【請求項３】
前記調整兼連結手段は、前記連結部材の一端側に設けられる壁ネジ止め引寄せ辺部と、当該一端側に設けられる連結孔と、この連結孔に対向する前記壁取付部材側に設けられる引寄せ調整兼連結長孔と、からなることを特徴とする請求項２に記載のレンジフード用保持装置。
【請求項４】
前記壁取付部材は、ダクトカバーの調整兼取付長孔を備えていることを特徴とする請求項１〜３のいずれか１項に記載のレンジフード用保持装置。
【請求項５】
前記壁取付部材は、幕板を係脱自在な係合によって取り外し可能に支持する係止部を備えていることを特徴とする請求項１〜４のいずれか１項に記載のレンジフード用保持装置。
【発明の詳細な説明】
【技術分野】
【０００１】
本発明は、レンジフード用保持装置に係り、特に、キッチン壁面に取り付けられて加熱調理器の上方位置に設置される薄型タイプのレンジフードの設置姿勢を保持するのに有効な保持装置に関する。
【背景技術】
【０００２】
レンジフードは、調理時に発生する汚染空気を吸い込み捕獲（捕集）する下向き開口の捕獲空間を有するフード部と、このフード部の上に取り付けられる送風機を主要構成部として構成されている。
フード部は、主に底面視で略矩形形状を呈している。そして、送風機は、キッチン壁面へのフード部の取り付け一辺縁側に位置させたフード部の上に縦置き状態で設置される形態や、フード部の略中央部に位置して横置き状態で設置される形態が知られている（例えば、特許文献１などを参照）。
【０００３】
そして、レンジフードのキッチンへの設置としては、キッチンカウンタ、加熱調理器などのレイアウトに合わせた四つのタイプに大別される。その一つが、最も標準的なキッチン壁面にフード部の背面を向けてキッチン壁面に取り付けられる背面取り付けタイプ、二つ目が、ダイニングなどの隣室との間仕切りなどによる隔たりをなくしたオープンキッチンの場合のように、キッチン壁面にフード部の一側面を向けてキッチン壁面に取り付けられる側面取り付けタイプ、三つ目が、キッチン壁面から離れたキッチンの真ん中当たりに位置させてシンクや加熱調理器が設置される場合に行われるキッチン天井への天井吊りタイプ、四つ目が、加熱調理器の後方に位置する調理カウンタ面に直接または調理器側に向けて若干立上った状態で吸引口が開口されている下引きタイプなどである。
【０００４】
そして、下引きタイプを除く、背面取り付けタイプ、側面取り付けタイプ、天井吊りタイプのレンジフードでは、扁平箱型に形成されるフード部の厚さ（高さ）がシステムキッチンとの兼ね合いを持たせたデザイン性などを重視して薄くなってきている（例えば、特許文献２および特許文献３などを参照）。
【０００５】
ところで、特許文献２および特許文献３に記載されている送風機が縦置き状態でフード部の天板上に設置されている縦置きタイプのレンジフードの場合、フード部の一辺縁部側と送風機の送風ボックスとの双方をネジ止によってキッチン壁面に取り付けることができる。
一方、特許文献１に開示されている送風機が横置き状態でフード部の天板上に設置されている横置きタイプのレンジフード場合では、フード部の一辺縁部側のみのネジ止めによってキッチン壁面に取り付ける。つまり、デザイン性などを重視して厚さ（高さ）が薄くなってきているフード部の一辺縁側の側面のみをキッチン壁面に突き当てた状態で専用の止めネジを用いて取り付けるレンジフードの取り付け設置構造となる。
【０００６】
そのために、特許文献１に示されているように、比較的に重さがある送風機がフード部の略中央部位に位置して設置されており、しかも、厚さが薄くなったことによるフード部の構造上などから、キッチン壁面にネジ止めによって取り付けられた一辺縁側と対向するフード部の他辺縁側が垂れ下がり、レンジフードの水平な設置姿勢が保たれないという撓み現象が発生するおそれがある。
特に、オープンカウンタに設置された加熱調理器の上方に位置して、キッチン壁面にフード部の一側面を向けて取り付けられる側面取り付けタイプのレンジフードの場合、キッチン壁面に取り付けられるフード部の一辺縁側から対向する（開放する）他辺縁側までの長さが長くなるため、撓み現象が発生し易く、その撓み変形量も大きくなるおそれがある。
また、レンジフードが取り付け設置されるキッチン壁面の強度が十分でないことや、壁面の垂直度が均一でない場合にはその影響でレンジフードを水平な設置姿勢で設置することが難しい場合もある。
【０００７】
このように、レンジフードの水平な設置姿勢が保たれないなどの不具合が発生すると、調理カウンタとレンジフードが平行でなくなるなどのシステムキッチンの調和が乱れてシステムキッチン全体の見栄えが損なわれる。また、システムキッチンのキャビネットと並設して組み込まれるタイプのレンジフードの場合では、キャビネットの下面とフード部の下向き開口縁部との間に段差が生じて、見栄えが損なわれることとなる。
さらに、フード部には、油煙などから衝突分離されて捕獲された油脂分を回収するためのオイルトレイなどが備えられている。このために、レンジフードにはフード部の内面に付着した油脂分やフィルタによって捕獲された油脂分をオイルトレイへと向けて流すように流下勾配が各所に設けられている。このような場合、フード部の水平姿勢が崩れてしまうと、油脂分の流れが設計時とは変わり、油脂分を設計通りにオイルトレイに回収することができないなどの不具合が発生するおそれがある。
【０００８】
そこで、このようの問題点を解決するために、均一でないキッチン壁面の垂直度に応じてレンジフードとキャビネットの下面との位置合せ調整を可能とし、位置合せ設置後の設置姿勢を保持し得るように構成されている取付金具を備えたレンジフードが提案されている（例えば、特許文献４など参照）。
【０００９】
特許文献４の図６に示されている取付金具は、壁面側取付部と、この壁面側取付部の下端側に連結部にて一端側が回転自在に連結された本体側取付部とからＬ字形状とからＬ字形状と成し、壁面側取付部の上端側に一端側が取り付けられた支え棒の他端側に形成されている係止端部を、本体側取付部の他端側に形成されている複数の本体側係止部のいずれかに係止させることで、連結部を基点とした壁面側取付部と本体側取付部との間の角度を変更自在としている。
つまり、本体側取付部のいずれかの本体側係止部に対する支え棒の係止端部の係止位置を選択変更することにより、連結部を基点としたレンジフードの裏面（背面）とキッチン壁面との間の角度が調整されてレンジフードとキャビネット（吊戸棚）の下面との位置合せ（面合わせ）が行われるように構成されている取付金具である。
【００１０】
また、特許文献４の図７に示されている取付金具は、壁面側取付部の上端側に取り付けられている一方の支え棒と本体側取付部の他端側に取り付けられている他方の支え棒とを長さ伸縮自在に連結するハンドル部の回転操作によって、連結部を基点とする壁面側取付部と本体側取付部との間の角度を変更自在としている。
【先行技術文献】
【特許文献】
【００１１】
【特許文献１】特開平１０−２８８３６９号公報（段落番号０００８、および図１参照）
【特許文献２】特開２００５−１０６４２６号公報（段落番号００３０、および図１、図５参照）
【特許文献３】特開２００７−１０７７５１号公報（段落番号０００４、０００５、および図１参照）
【特許文献４】特開２００９−２７０７６８号公報（段落番号００３６〜００３９、および図６、図７参照）
【発明の概要】
【発明が解決しようとする課題】
【００１２】
しかしながら、特許文献４の図６に示されている従来技術の取付金具は、本体側取付部に等間隔にて並列状に形成されている本体側係止部のいずれかに対する支え棒の係止端部の係止によって、キャビネットの下面との位置合せ調整を行う構造であることから、レンジフードとキャビネットとの位置合せをきめ細かい調整によって行うことができない。つまり、各本体側係止部の並列間隔の範囲内での調整となるために、きめ細かな位置合せ調整を行うことができず、そのために、レンジフードの設置現場によって使用できないケースが起き得るなどの問題があった。
【００１３】
また、この取付金具は、本体側係止部に対する係止端部に係止のみよって本体側取付部と支え棒とが連結されるものであることから、地震やその他の揺れなどによって本体側係止部から係止端部が脱落するおそれがあるなどの安全性に乏しいものとなっていた。また、位置合せ調整を行うとき、レンジフードを下から支えながら係止段部の体側係止部に対する係止作業を本体側係止部のいずれかに入れ替え変更しなければならないという設置作業者にとっては位置合せ調整が重労働となるなどの取扱い性に難点を有していた。
【００１４】
また、特許文献４の図７に示されている従来技術の取付金具は、ハンドル部の回転操作による支え棒の長さ変更によって、レンジフードのキャビネットの下面との位置合せ調整を行う構造であることから、地震やその他の揺れなどによってハンドル部の支え棒との螺合状態に緩みが起きてレンジフードのキャビネットの下面との当初の位置合せ設置姿勢が崩れ、そのために、キャビネットの下面との間にズレ（段差）が発生するなどのレンジフードを当初の設置姿勢に保つことができない問題を発生するおそれがある。
つまり、キッチン側（使用者側）に位置するレンジフード（フード部）の開放端側が垂れ下がり、レンジフードの当初の位置合せ設置姿勢が保たれないという撓み現象が発生するなどの信頼性の面において問題があった。
【００１５】
そこで、本発明は、前記課題を解消するために創案されたものであり、きめ細かな位置合せ調整が可能で、地震などの揺れによる脱落や緩むおそれも無く、レンジフードのキッチン壁面への設置姿勢を当初の位置合せ設置姿勢で確実に、かつ、継続して保持することができ、しかも、キャビネットの下面などとの位置合せ（面合わせ）調整を行うレンジフードの設置作業に有効なレンジフード用保持装置を提供することにある。
また、本発明では、ダクトカバーの高さ調整とその取り付け、そして、幕板の取り付けをも兼ね備えたレンジフード用保持装置を提供することにある。
【課題を解決するための手段】
【００１６】
前記課題を解決するために、本発明では、キッチン壁面に固定して取り付け設置されるレンジフードの保持装置であって、
装置本体は、前記壁面に沿って固定して取り付けられる壁取付部材と、前記壁取付部材の途中部位に一端側が前記壁面方向に相対的に変位可能に取り付けられ、他端側が前記レンジフードに固定して取り付けられる連結部材と、を備え、前記連結部材が、前記壁面方向に引寄せられることで、垂れ下がるフード部の開放縁部が、前記壁取付部材の固着辺部に取り付けられているフード部の壁面側における縁辺側を支点に持ち上げられて前記レンジフードの設置姿勢が調整されることを特徴とする。
【００１７】
ここで、前記壁取付部材と前記連結部材との両部材に、前記レンジフードの設置姿勢を調整する調整兼連結手段を備えることが好適なものとなる。
前記調整兼連結手段は、前記連結部材の一端側に設けられる壁ネジ止め引寄せ辺部と、当該一端側に設けられる連結孔と、この連結孔に対向する前記壁取付部材側に設けられる引寄せ調整兼連結長孔とからなる構成を採用することが好適なものとなる。
また、前記壁取付部材に、ダクトカバーのスライド調整兼取付長孔が備えられていること、そして、前記壁取付部材に、幕板を係脱自在な係合によって取り外し可能に支持する係止部が備えていること、が好適なものとなる。
【００１８】
このような構成によれば、レンジフードが設置されるキッチン壁面にネジ止めなどによって取り付けられる壁取付部材に対し、他端側がレンジフードに取り付けられる連結部材の一端側をネジ止めなどによって取り付け連結させることで、キッチン壁面に取り付けられるフード部の一辺縁側以外のレンジフード部分を、装置本体を介してキッチン壁面に連結保持させることができる。
【００１９】
また、キッチン壁へ取り付け設置するときに、壁取付部材にネジ止めなどによって連結される連結部材の一端側に備えられている壁ネジ止め引寄せ辺部を利用し、キッチン壁面に取り付けられるフード部の一辺縁側を支点としてフード部の設置姿勢を調整することができる。例えば、キャビネットの下面との間に段差が生じないように位置合せ（面合わせ）する調整や、フード部の水平度などの設置姿勢を調整することができる。
【００２０】
また、レンジフードのキッチン壁面への取り付け設置時に行われるダクトカバーの上下位置の調整とそのネジ止めを、壁取付部材に備えられているスライド調整兼取付長孔を利用して行うことができる。
【発明の効果】
【００２１】
本発明のレンジフード用保持装置は以上のように構成されていることで、レンジフードのキッチン壁面への設置姿勢を任意の設置姿勢に保持することができる。これにより、フード部の水平姿勢が崩れ、キャビネットの下面との間に段差が生じて、見栄えが損なわれることや、油脂分を設計通りにオイルトレイに回収することができないなどの不具合の発生を解決することができる。
【００２２】
また、レンジフードをキッチン壁へ設置するときに、壁取付部材と連結部材に備えられている調整兼連結手段によってフード部の設置姿勢の調整を行うことができる。例えば、キャビネットの下面との間に段差が生じないように位置合せ（面合わせ）の調整やフード部の水平姿勢の調整を行うことができる。つまり、設置時におけるフード部の水平姿勢などの調整を、調整兼連結手段によって行うことができる。
これにより、レンジフードの設置作業が簡易的に、かつ、効率的に行われることが期待できる。
【００２３】
また、幕板、ダクトカバーの取り付けを、保持装置を構成する壁取付部材を利用して行うことができる。これにより、従来のように、幕板やダクトカバーを取り付けるための支持部材を別途準備設ける必要がなくなるので、設置作業を簡易にすることができるという効果を奏する。
また、従来、ダクトカバーは、フード部の天板に設けられているダクトカバー設置用溝にその下端部を位置合わせして載せて、キッチン壁面やキッチン天井に設けるダクトカバー係止具に対してその上端部をネジにより固定することが行われていたが、本発明では、ダクトカバーの下端部を保持装置に連結支持させたダクトカバーの取付構造としているため、フード部の固定点が増えて、その設置安定性が増す。特に、天井吊りタイプのレンジフードではその変化は顕著である。
【図面の簡単な説明】
【００２４】
【図１】本実施例形態に係る保持装置を適用させたレンジフードの取り付け設置状態を示す正面図である。
【図２】同設置状態を示す平面図である。
【図３】図１における要部の拡大縦断面図である。
【図４】図２における要部の拡大平面図である。
【図５】幕板を壁取付部材に係脱自在に取り付ける係止部を含めた各手法を示す斜視図である
【図６】本実施形態に係る保持装置の壁取付部材と連結部材をそれぞれ示す斜視図である。
【発明を実施するための形態】
【００２５】
以下、本発明の実施形態について、適宜図面を参照しながら詳細に説明する。
図１は、本実施例形態に係る保持装置を適用させたレンジフードの取り付け設置状態を示す正面図、図２は、同平面図、図３および図は、要部を示す拡大縦断面図および拡大横断面である。
なお、本実施形態に係る保持装置Ａを適用させたレンジフードＢの設置形態としては、キッチン壁面にフード部の背面を向けてキッチン壁面に取り付けられる背面取り付けタイプ、そしてオープンキッチンの場合のように、キッチン壁面にフード部の一側面を向けて取り付け設置される側面取り付けタイプなどを挙げられることができる。本実施形態では、図１および図２に示すように、オープンカウンタＣの上方に位置してキッチン壁面Ｋ１に取り付け設置される側面取り付けタイプを一例に挙げて説明する。
また、本実施形態では、図２において、オープンカウンタＣを挟んで紙面下側がキッチン側（二点鎖線で示す調理者側）、紙面上側がダイニング側を示す。
【００２６】
≪レンジフードの構成≫
レンジフードＢは、図１に示すように、フード部１と、このフード部１の上に横置き状態で設置される送風機２とを備えて構成されている。
【００２７】
フード部１は、図１および図２に示すように、キッチン側とダイニング側にそれぞれ面する前側（正面側）と後側（背面側）の両縁辺側を幅広く、キッチン側から見て右側と左側の両縁辺側を幅狭くした扁平箱型の底面視で略矩形形状に形成されている。
そして、フード部１は、下向きに開口させた汚染空気の捕獲空間Ｍを備えている。
【００２８】
送風機２は、排気ダクト４が接続されるボリュート形状のファンケーシング２ａ内に、ファンモータ２ｂに軸支されて同軸上に収容される排気ファン２ｃを収容してなり、図１に示すように、フード部１の上にネジ止めなどによって取り付けられる箱型の送付機ボックス３内に横置き状態で内設されるように形成されている。
【００２９】
そして、本実施形態では、このように構成されているレンジフードＡを、図１に示すように、オープンカウンタＣに設置されている加熱調理器Ｄの上方に位置するキッチン壁面Ｋ１にフード部１の右側縁辺側（図１の紙面右側）を当接させた状態で取り付け設置するとき、保持装置Ａを用いてレンジフードＢをキッチン壁面Ｋ１に保持させる保持構造を採用する。
これにより、フード部１の開放された左側縁辺側（図１の紙面左側）が垂れ下がり、レンジフードＢの水平な設置姿勢が保たれないという撓み現象を引き起こさないようにしている。
【００３０】
≪保持装置の構成≫
図６は、本実施形態に係る保持装置の壁取付部材と連結部材をそれぞれ示す斜視図である。ここでは、図１〜図４を適宜参照しながら説明する。
保持装置Ａは、図４に示すように、壁取付部材５と、連結部材６との２部材によって構成されている。
【００３１】
≪壁取付部材の構成≫
壁取付部材５は、連結部材６を介してレンジフードＢの設置姿勢を水平に保持するとともに、幕板７を係脱自在に、ダクトカバー８を上下調整可能に取り付け支持する取付構造（支持機能）を備えている。
この壁取付部材５は、適宜の金属製板材を用いた打ち抜き、折り曲げ加工などによって、送風機ボックス３よりも幅広い横幅で、かつ、キッチン壁面Ｋ１に取り付けられた状態において、フード部１の上面にネジ止め固着される後記の固着辺部から所定の長さ（高さ）を有する上向き開放の略コの字形状に形成されている。
つまり、図２および図４、図６に示すように、両側に壁取付枠部５ａを備え、この壁取付枠部５ａの下端側を固着辺部５ｂによって連設させてなる上向き開放の略コの字形状に形成されている。
【００３２】
両側の壁取付枠部５ａは、図３および図６に示すように、固着辺部５ｂによって連設されている下半部側の壁取付面部９の上部側に略ダルマ形状（略鍵形状）の壁取付孔１０を両側に備えているとともに、下部側には真円形状の壁取付孔１１を両側に備えている。これにより、壁取付ネジ１２によって壁取付部材５はキッチン壁面Ｋ１に取り付けられるようになっている。
【００３３】
また、両側の壁取付枠部５ａの開放されている上半部側は、図４および図６に示すように、横断面視で略コの字形状に形成されている。つまり、下半部側から折り曲げ連設されている外側枠辺部１３と、この外側枠辺部１３よりも幅広く折り曲げ形成されている内側枠辺部１４とから横断面視で略コの字形状形成されている。
【００３４】
そして、両側の壁取付枠部５ａの外側枠辺部１３の上部側には、図４〜図６に示すように、幕板７を係脱自在に取り付けるための係止部である係止窓１５が備えられ、下部側（固着辺部５ｂと壁取付面部９とにより連設されている側）には雌側係止凹部１６が備えられている。これにより、幕板７がフード部１の上に係脱自在に取り付けられるようにしている。
つまり、係止窓１５には幕板７の裏側上部コーナーなどに位置して備えられている係止爪片部１７が引っ掛かるように係止され、一方、雌側係止凹部１６には幕板７の裏側下部コーナーなどに位置して備えられている雄側係止突部１８が押し込み係止されることによって、幕板７が壁取付部材５に対して係脱自在に取り付けられるようになっている。
ちなみに、雌側係止凹部１６は、図示省略のバネ材によって常に閉じ方向（挟み方向）に付勢されている構造を呈している。
【００３５】
また、両側の壁取付枠部５ａの内側枠辺部１４には、スライド調整兼取付長孔１９が備えられている。
このスライド調整兼取付長孔１９は、内側枠辺部１４の高さ方向の略全長にわたり開口されており、ダクトカバー８を高さ調整可能で、かつ、ダクトカバー８側にバーリング加工により形成されているネジ孔２０に止めネジ２１を用いてねじ込み連結するようにしている。つまり、図１に示すように、幕板７の上辺縁部からキッチン天井Ｋ２に至る間を塞ぐようにダクトカバー７を取り付け保持させるようになっている。
【００３６】
壁取付部材５の下辺縁に沿って折り曲げ形成される固着辺部５ｂは、キッチン壁面Ｋ１に取り付けられるフード部１の右側縁辺側を固着保持させるもので、壁取付部材５に幅にて前方に向けて幅広く折り曲げ形成されている。
そして、この固着辺部５ｂにはバーリング加工により形成されているネジ孔２２が、前後２ヶ所、両側計４ヶ所に備えられている。
これにより、レンジフードＢをキッチン壁面Ｋ１に取り付け設置するときに、フード部１側から固着ネジ２３を用いてねじ込み連結することで、レンジフードＢが壁取付部材５に固着されるようになっている。
【００３７】
≪連結部材の構成≫
連結部材６は、適宜の金属製板材を用いた打ち抜き、折り曲げ加工などによって、壁取付部材５の両側の壁取付枠部５ａ（内側枠辺部１２）間に収まる横幅寸法で、壁取付部材５の両側の壁取付枠部５ａからレンジフードＢの送風機ボックス３に至る前後幅寸法を有する平面視で略コの字形状に形成されている。
つまり、図４および図６に示すように、壁取付部材５に連結ネジ２４によって連結される後側を連設させ、送風機ボックス３に連結ネジ２５によって連結される前側を開放させた平面視で略コの字形状に形成されている。
このように、平面視で略コの字形状に形成されている連結部材６の開放する前側には、ネジ挿通孔２６が備えられており、送風機ボックス３側にバーリング加工により形成されているネジ孔２７に連結ネジ２５によってねじ込み連結されるようになっている。
【００３８】
そして、このように形成されている壁取付部材５と連結部材６との両部材には、レンジードＢのキッチン壁面Ｋ１への設置姿勢を調整するための調整兼連結手段が備えられている。
【００３９】
≪調整兼連結手段の構成≫
調整兼連結手段は、レンジフードＢをキッチン壁面Ｋ１に取り付け設置するとき、そして設置後においてレンジフードＢの設置姿勢を調整する。特に、水平姿勢に調整し、かつ、調整終了後において、その姿勢を保持するように、連結部材６を壁取付部材５に連結するためのものである。
この調整兼連結手段は、連結部材６の連設する後側縁に沿って設けられる壁ネジ止め引寄せ辺部２８と、当該後側に設けられる連結孔２９と、この連結孔２９に対向して壁取付部材５側に設けられる引寄せ調整兼連結長孔３０とからなる構成されている。
【００４０】
壁ネジ止め引寄せ辺部２８は、図６に示すように、連結部材６の後側縁から上向きに折り曲げられることによって、当該後側縁に沿って適宜の高さにて形成されているとともに、ネジ挿通孔３１が両側２ヶ所に設けられている。
これにより、両側のネジ挿通孔３１からキッチン壁面Ｋ１に引寄せネジ３２をねじ込むことで、そのねじ込み量に伴いレンジフードＢの送風機ボックス３に取り付けられている連結部材６がキッチン壁面Ｋ１方向に徐々に引き寄せられるようになっている。つまり、連結部材６がキッチン壁面Ｋ１方向に引き寄せられることで、垂れ下がるフード部１の左側縁辺側（開放縁側）が、壁取付部材５の固着辺部５ｂに取り付けられているフード部１の右側縁辺側を支点に持ち上げられてレンジフードＢの設置姿勢が調整されるようになっている。
【００４１】
連結孔２９は、図４および図６に示すように、連結部材６の両側に折り曲げ形成されている外側縁辺部３３における後側にバーリング加工により形成されているネジ孔である。この連結孔（以後、「連結ネジ孔」と称する）２９は、所定の間隔をおいて前後２ヶ所に備えられており、引寄せ調整兼連結長孔３０側から連結ネジ２４がねじ込み装着されることで、連結部材６の後側が壁取付部材５の両側の壁取付枠部５ａに連結されるようになっている。
【００４２】
引寄せ調整兼連結長孔３０は、図４および図６に示すように、壁取付部材５の両側壁取付枠部５ａの内側枠辺部１４の下部側において、連結部材６側の前後の連結ネジ孔２９と対応する部位に前後方向（連結部材６のキッチン壁面Ｋ１への引き寄せ方向）に長く、前後２ヶ所に設けられている。
【００４３】
［作用説明］
つぎに、以上のように構成されている保持装置Ａを適用させたレンジフードＢの設置について簡単に説明する。
まず、レンジフードＢが設置されるキッチン壁面Ｋ１に高さ位置に壁取付部材５を取り付ける。詳しくは、フード部１の上面が位置するキッチン壁面Ｋ１の高さ位置に、壁取付部材５に備えられている固着辺部５ｂを位置させた状態で壁取付部材５をキッチン壁面Ｋに壁取付ネジ１２を用いて取り付ける。そして、レンジフードＢの送風機ボックス３側には連結ネジ２６を用いて連結部材６を取り付ける。
つぎに、送風機ボックス３に連結部材６を取り付けた状態で、フード部１を壁取付部材５の固着辺部５ｂに固着ネジ２３を用いて固着連結させる。そして、連結ネジ２４を用いて壁取付部材５側に備えられている引寄せ調整片連結長孔３０と連結部材６側に備えられている連結ネジ孔２９とを仮止め状態に連結する。
【００４４】
そして、この仮止め状態で、連結部材６の壁ネジ止め引寄せ辺部２８のネジ挿通孔３１から引寄せネジ３２をキッチン壁面Ｋ１にねじ込みながら、かつ、レンジフードＢの設置姿勢を確認しながら、その設置姿勢の調整を行う。このとき、レンジフードＢの姿勢は、引寄せネジ３２のねじ込み量によってフード部１の左側縁辺側（図１において紙面左側）が徐々に持ち上げられる。
このとき、連結部材６がキッチン壁面Ｋ１方向に徐々に引き寄せられることで、連結部６に掛るレンジフードＢの加重が増加する。すなわち、キッチン壁面Ｋ１と対向するフード部１の側端部側（左側縁辺側）での荷重分布を変化させることができるので、フード部１の撓み変形量を減少、調整することが可能となる。
このようにして、レンジフードＢの設置姿勢を、水平姿勢に調整したところで、連結ネジ孔２９に対する仮止め状態の連結ネジ２４を本締めする。これにより、レンジフードＢの設置姿勢は、水平に保持されてキッチン壁面Ｋ１に取り付け設置される。
【００４５】
最後に、壁取付部材５に備えられているスライド調整兼取付長孔１９に止めネジ２１を用いたダクトカバー８の高さ調整とその本締めによって、ダクトカバー８の取り付けを行う。されに、壁取付部材５に備えられている係止窓１５に対する幕板７側に備えられている係止爪片部１７の引っ掛け係止、そして、壁取付部材５側に備えられている雌側係止凹部１６に対する幕板７側に備えられている雄側係止凸部１８の押し込み係止によって、幕板７の取り付けを行うことで、レンジフードＢをキッチン壁面Ｋ１に設置することができる。
【００４６】
なお、保持装置Ａを適用させたレンジフードＢの前記設置施工手順は一例に過ぎなく、限定されるものではない。
また、本発明の実施形態の具体的な構成は、前記した実施形態に限られるものではなく、請求項１〜５に記載の本発明の要旨を逸脱しない範囲で設計変更などがあっても本発明に含まれるものである。
例えば、送風機をフード部の上に縦置き状態で設置してなる形態のレンジフードにおいても、前記実施例詳述の保持装置Ａを用いて設置姿勢を保持させることができる。
また、固着ネジ２３による固着辺部５ｂへのレンジフードＢの固着連結は、固着辺部５ｂ側から行うことができるように、レンジフードＢ側に固着ネジ孔２２を設けることもできる。
【００４７】
また、幕板７の下部側の固定を、壁取付部材５側に備えられている雌側係止凹部１４に対する幕板７側に備えられている雄側係止凸部１８の押し込み係止に代えて、壁取付部材５側にバーリング加工されたネジ孔を備えてネジ止めとしても良いものである。
【００４８】
また、連結部材６のレンジフードＢ側への連結を、送風機ボックス３に対する連結に代えて、フード部１に対して連結することもできる。
【符号の説明】
【００４９】
Ａ 保持装置
Ｂ レンジフード
１ フード部
２ 送風機
３ 送風機ボックス
５ 壁取付部材
６ 連結部材
７ 幕板
８ ダクトカバー
１５ 係止窓（係止部）
１６ 雌側係止凹部
１７ 係止爪片部
１８ 雄側係止凸部
１９ スライド調整兼取付長孔
２８ 壁ネジ止め引寄せ辺部（調整兼連結手段）
２９ 連結ネジ孔（調整兼連結手段）
３０ 引寄せ調整兼連結長孔（調整兼連結手段）
Ｋ１ キッチン壁面
【図１】
0005524605.tif 000002
【図２】
0005524605.tif 000003
【図３】
0005524605.tif 000004
【図４】
0005524605.tif 000005
【図５】
0005524605.tif 000006
【図６】
0005524605.tif 000007